(57)【要約】【課題】  空気抜け部等を必要とすることなくコスト安価でメンテナンス性に優れると共に、必要とする高さ方向のスペースを増加させることなく封水切れを防ぐことが可能な排水装置を提供する。【解決手段】  屈曲部と両側の垂直部とを有してＵ字形状に屈曲された封水部を備えるサイホン式の排水装置であって、封水部の少なくとも一方の垂直部で該封水部の水底面頂部より上方でかつ溢れ面より下方の位置に、当該垂直部の排水経路を外れる状態で封水部の封水切れを防止し得る量の排水を貯留する排水貯留手段を設けたことを特徴とする。排水貯留手段は、底部が閉塞されると共に開口部が垂直部の周壁に水平状態で固着された貯留パイプで形成され、また、垂直部との連結部分に流出制御手段が配設される。【選択図】  図２
2006257755.tif 000002
【特許請求の範囲】
【請求項１】
屈曲部と両側の垂直部とを有してＵ字形状に形成された封水部を備えるサイホン式の排水装置であって、
前記封水部の少なくとも一方の垂直部で該封水部の水底面頂部より上方でかつ溢れ面より下方の位置に、当該垂直部の排水経路を外れる状態で前記封水部の封水切れを防止し得る量の排水を貯留する排水貯留手段を設けたことを特徴とする排水装置。
【請求項２】
前記排水貯留手段は、底部が閉塞されると共に開口部が垂直部の周壁に水平状態で固着された貯留パイプで形成されていることを特徴とする請求項１に記載の排水装置。
【請求項３】
前記排水貯留手段は、垂直部との連結部分に、該貯留手段内の排水のサイホン現象による排水経路への流出を防止し得る流出制御手段を有することを特徴とする請求項１または２に記載の排水装置。
【請求項４】
前記流出制御手段は、連結部分に配置されたメッシュ状部材及び又は小径な連結孔によって構成されていることを特徴とする請求項３に記載の排水装置。
【請求項５】
前記垂直部の上端に継手が設けられ、該継手に前記排水貯留手段が設けられていることを特徴とする請求項１ないし４のいずれかに記載の排水装置。
【発明の詳細な説明】
【技術分野】
【０００１】
本発明は、例えばキッチン、洗面化粧台、水栓便器等の排水経路に設置されるサイホン式の排水装置に関する。
【背景技術】
【０００２】
従来、キッチン等の排水経路に設置される排水装置としては、排水経路をＵ字形状に屈曲させたサイホン式の排水トラップが使用されており、この排水トラップの封水部（トラップ内）に貯留される封水によって、外部の臭い等の逆流を防止している。また、水栓便器等の排水経路に設けられる排水装置としては、例えば特許文献１に開示されているように、トラップの直後に逆Ｕ字通路を設けると共に、この逆Ｕ字通路が大気圧以上であれば閉じ、大気圧未満であれば開いて逆Ｕ字通路に外から空気を取入れ可能にする逆止弁を設けたものが知られている。
【特許文献１】特開２００１−２０７５０９号公報
【発明の開示】
【発明が解決しようとする課題】
【０００３】
しかしながら、前者の排水トラップにおいては、排水経路に単にＵ字形状に屈曲したトラップを設けているのみであるため、自己サイホン作用や誘導サイホン作用あるいは蒸発等によって封水切れが発生し易く、このような封水切れの場合には、外部の臭い等が室内に逆流してしまう場合がある。ここで、トラップの高さ寸法を大きくして封水量を多くすれば蒸発による封水切れは生じ難くなるものの、設置場所の制限からトラップの高さ寸法を大きくすることが困難な場合が多い。また、後者の排水装置においては、外部に連通し得る逆止弁を有するため、誘導サイホン作用による封水切れは防止できるものの、自己サイホン作用等による封水切れに的確に対応することが困難であると共に、逆止弁が空気抜け部となって悪臭の放出口となり易い。
【０００４】
本発明は、このような事情に鑑みてなされたもので、その目的は、空気抜け部等を必要とすることなくコスト安価でメンテナンス性に優れると共に、必要とする高さ方向のスペースを増加させることなく封水切れを防ぐことが可能な排水装置を提供することにある。
【課題を解決するための手段】
【０００５】
かかる目的を達成すべく、本発明のうち請求項１に記載の発明は、屈曲部と両側の垂直部とを有してＵ字形状に形成された封水部を備えるサイホン式の排水装置であって、前記封水部の少なくとも一方の垂直部で該封水部の水底面頂部より上方でかつ溢れ面より下方の位置に、当該垂直部の排水経路を外れる状態で前記封水部の封水切れを防止し得る量の排水を貯留する排水貯留手段を設けたことを特徴とする。
【０００６】
そして、前記排水貯留手段は、請求項２に記載の発明のように、底部が閉塞されると共に開口部が垂直部の周壁に水平状態で固着された貯留パイプで形成されていることが好ましい。また、前記排水貯留手段は、請求項３に記載の発明のように、垂直部との連結部分に、該貯留手段内の排水のサイホン現象による排水経路への流出を防止し得る流出制御手段を有することが好ましく、この場合、前記流出制御手段は、請求項４に記載の発明のように、連結部分に配置されたメッシュ状部材及び又は小径な連結口によって構成されていることが好ましい。さらに、請求項５に記載の発明のように、前記垂直部の上端に継手が設けられ、該継手に前記排水貯留手段が設けられていることが好ましい。
【発明の効果】
【０００７】
本発明のうち請求項１に記載の発明によれば、封水部の少なくとも一方の垂直部で該封水部の水底面頂部より上方でかつ溢れ面より下方の位置に、垂直部の排水経路を外れる状態で排水貯留手段が設けられているため、封水部の封水が少なくなった場合に、通常時に所定量貯留された排水貯留手段内の排水を封水部に流出させて貯留でき、必要とする高さ方向のスペースを増加させることなく封水部の封水切れを防ぐことができると共に、空気抜け部等を設けることなくコスト安価でメンテナンス性に優れた排水装置を得ることができる。
【０００８】
また、請求項２に記載の発明によれば、請求項１に記載の発明の効果に加え、排水貯留手段が、底部が閉塞されると共に開口部が垂直部の周壁に水平状態で固着された貯留パイプで形成されているため、貯留パイプの長さ等により貯留される排水量を所望に設定できて、排水貯留手段の構成を簡略化した安価な排水装置を得ることができる。
【０００９】
また、請求項３に記載の発明によれば、請求項２に記載の発明の効果に加え、排水貯留手段が、垂直部との連結部分に、該貯留手段内の排水のサイホン現象による排水経路への流出を防止し得る流出制御手段を有するため、排水貯留手段内の排水のサイホン現象による排水経路への流出を防ぐことができて、封水切れの場合にのみ排水貯留手段内の排水を排水経路に流出させて封水切れをより確実に防止することができる。
【００１０】
また、請求項４に記載の発明によれば、請求項３に記載の発明の効果に加え、流出制御手段が、連結部分に配置されたメッシュ状部材及び又は小径な連結孔によって構成されているため、流出制御手段の構成を簡易にして一層安価な排水装置を得ることができる。
【００１１】
さらに、請求項５に記載の発明によれば、請求項１ないし４に記載の発明の効果に加え、垂直部の上端に継手が設けられ、該継手に排水貯留手段が設けられているため、屈曲部と垂直部及び排水貯留手段を有する排水装置を一つの部材として形成できて、各種排水経路に簡単に対応できる等、汎用性に優れた排水装置を得ることができる。
【発明を実施するための最良の形態】
【００１２】
以下、本発明の実施の形態を図面に基づいて詳細に説明する。
図１〜図４は、本発明に係わる排水装置の第１の実施形態を示し、図１がその斜視図、図２がその貯留パイプ部分を模式的に示す縦断面図、図３及び図４が動作説明図である。
【００１３】
図１及び図２に示すように、排水装置１は、正面視でＵ字形状に形成された封水部２と、この封水部２の上流側及び下流側に接続された配管３、４等を備え、この封水部２と各配管３、４は、例えば１本の塩ビパイプを正面視でＳ字形状に屈曲状態で成型等することにより一体的に形成されている。そして、前記封水部２は、Ｕ字形状の屈曲部５と、この屈曲部５の両端部に延設された上流側及び下流側の垂直部６、７と、下流側の垂直部７に設けられた排水貯留手段としての貯留パイプ８等を備えている。
【００１４】
この貯留パイプ８は、前記垂直部６、７や屈曲部５と同材質、同径（もしくは小径）、同肉厚の有底筒状の例えば塩ビパイプで形成されて、底部８ｂが閉塞されると共に開口部８ａが前記垂直部７の側壁に設けた連結孔７ａ部分に接着剤１０等により水平状態（垂直部７に直交状態）で固着されている。これにより、貯留パイプ８は、配管３、垂直部６、屈曲部５、垂直部７、配管４に連通する排水経路９から直交方向に外れた状態となっている。
【００１５】
また、貯留パイプ８は、図２に示すように、その高さ位置が屈曲部５の水底面頂部５ｂより上方に位置すると共に、配管４（封水部２）の溢れ面４ａより下方に位置するように設定され、さらに、貯留パイプ８の排水の貯留量となる内部容積は、屈曲部５の水底面５ａと水底面頂部５ｂとの間の容積を所定量超える大きさ、すなわち貯留パイプ８内の排水１２が矢印ニの如く流出した際に、該排水１２が封水部２（屈曲部５）内に図２の三点鎖線で示す量まで貯留されるように設定されている。
【００１６】
次に、このように構成された排水装置１の動作の一例を図３及び図４等に基づいて説明する。先ず、例えばキッチンのシンクの排水口に接続された配管３から矢印イの如く排水される水は、図３（ａ）に示す通常状態において、排水装置１の封水部２内に所定量貯留されることで封水１１となり、この封水１１によって封水部２が封水されて、例えばその先端が外部配管に接続された配管４からの臭いや外部空気、あるいは外部排水（これらを臭い等という）が、矢印ロの如く逆流してシンクの排水口からキッチン内に漏れることが防止されている。
【００１７】
そして、この通常状態において、誘導サイホン作用や自己サイホン作用により、図３（ｂ）の矢印ハに示すように、封水部２内の封水１１が配管４方向に引っ張られて流れ、封水部２内に封水切れが生じると、貯留パイプ８内に貯留されている排水１２が矢印ニの如く封水部２内に流出して、図３（ｃ）に示すように封水部２内に貯留される。この時、貯留パイプ８が前述したように垂直部７の所定高さ位置に水平状態で固着されると共に、貯留パイプ８内に貯留されている排水１２の量が封水部２を封水し得る量に予め設定されていることから、貯留パイプ８内の排水１２で封水部２内の封水切れが防止されることになる。
【００１８】
また、例えば長期間排水がされない場合には、封水部２内の封水１１が蒸発してその封水面１１ａ（図３（ａ）参照）の水位が徐々に減少するが、この水位が貯留パイプ８内の排水１２の水位より下がると、貯留パイプ８内の排水１２が封水部２内に徐々に流出して封水１１を補う形となり、封水切れになるまでの時間が延びて封水切れが生じ難くなる。
【００１９】
さらに、図４（ａ）に示す通常状態で、前述したように誘導サイホン作用等により、図４（ｂ）に示すように、封水部２の封水１１が配管４内に流出して封水切れが生じ、貯留パイプ８内の排水１２が封水部２内に流出して封水された状態において、例えば気圧の変化で配管４を介して空気(外気）が矢印ホの如く逆流した場合は、貯留パイプ８が空気溜まりとなって、逆流した空気が貯留パイプ８内に貯留される。これにより、封水部２内の排水１２が逆流した空気により封水機能を失うことがなくなり、空気と共に進入する臭い等のキッチン内への逆流を確実に防止できることになる。
【００２０】
つまり、この排水装置１の場合、貯留パイプ８内に予め貯留されている排水１２によって、サイホン作用による封水部２内の封水１１の流出による封水切れを防止できると共に、封水１１の蒸発による封水切れや気圧の変化による封水切れの発生が生じ難くなる。なお、以上の説明においては、排水装置１を封水部２と配管３、４に分けて説明したが、これは説明の便宜上であって、これらが前述したように一体化された状態となっていることから、例えば配管３、４の一部を封水部２とし得ることは言うまでもない。
【００２１】
このように、上記実施形態の排水装置１にあっては、封水部２の下流側の垂直部７で配管４の溢れ面４ａより下方の位置で屈曲部５の水底面頂部５ｂより上方に、垂直部７等の排水経路９を外れる状態で貯留パイプ８が一体的に固着されているため、封水部２の封水１１が少なくなった場合に、通常状態時に貯留された貯留パイプ８内の排水１２を封水部２に流出させて封水部２に貯留することができ、封水切れを防ぐことができる。特に、貯留パイプ８の配置位置や内部容積を所定に設定することにより、誘導サイホン作用や自己サイホン作用による封水切れを防止することができたり、蒸発による封水切れの発生や気圧の変化による封水切れの発生をし難くすることができる。
【００２２】
また、封水部２の下流側の垂直部７に貯留パイプ８を固着することで対応できて、例えば従来の逆止弁のような空気抜け部を設ける必要がなくなり、貯留パイプ８自体の構成を簡略化させることができると共に、逆止弁のような格別なメンテナンスが不要となる。特に、排水貯留手段として、底部８ｂが閉塞されると共に開口部８ａが垂直部７の周壁に水平状態で固着される貯留パイプ８が使用されるため、貯留パイプ８の長さ等により貯留される排水量を所望の値に簡単に設定できると共に、排水経路９と同一形態の貯留パイプ８を使用してこれを垂直部７に付設することで対応できるため、例えば既存の排水経路への追加が容易となる。これらにより、汎用性とコスト面で優れると共にメンテナンス性に優れた排水装置１の提供が可能となる。
【００２３】
図５〜図１０は本発明に係わる排水装置の第２〜第４の実施形態を示しており、以下、上記第１の実施形態と同一部位には、同一符号を付して説明する。先ず、図５及び図６に示す第２の実施形態の排水装置１の特徴は、前記貯留パイプ８を垂直部７の周壁の例えば対向位置に同一高さ位置で２本設けた点にある。
【００２４】
この実施形態の場合は、２本の貯留パイプ８で封水切れを防止し得る所定量の排水を確実に貯留（確保）できて、第１の実施形態と同様の作用効果を得ることができると共に、各貯留パイプ８の垂直部７の周壁からの突出寸法を短くできて、例えば垂直部７の外側に貯留パイプ８の配置スペースが確保できない個所等にも簡単に適用できるという作用効果が得られる。なお、この実施形態の場合は、２本の貯留パイプ８を同一高さ位置ではなく、図６の二点鎖線で示すように、異なる高さ位置に設けることもできるし、２本の貯留パイプ８の径を異ならせたり、３本以上の貯留パイプ８を設けることもできる。
【００２５】
また、図７に示す第３の実施形態の排水装置１の特徴は、前記貯留パイプ８の垂直部７との連結部分に流出制御手段を配設した点にある。すなわち、垂直部７の連結孔７ａを貯留パイプ８の開口部８ａの内径より小径に形成すると共に、貯留パイプ８の開口部８ａの下端が連結孔７ａの下端と一致するように、貯留パイプ８を連結孔７に対して偏心させた状態で固着する。この小径な連結孔７ａによって前記流出制御手段が形成されている。
【００２６】
図８は、この第３の実施形態の変形例を示すもので、前記小径の連結孔７ａからなる流出制御手段に代えて、例えば貯留パイプ８の開口部８ａと略同一内径の連結孔７ａ部分に流出制御手段としてのメッシュ状部材１３を配設する。この第３の実施形態の排水装置によれば、小径の連結孔７ａやメッシュ状部材１３からなる流出制御手段により、貯留パイプ８内の排水１２の流出量（流出速度）を制御できて、例えばサイホン作用により流出する排水１２の量等を抑えて、封水切れの場合にのみ貯留パイプ８内の排水１２を封水部２内に流出させて封水切れを確実に防止することができる。  
【００２７】
また、流出制御手段が、小径な連結孔７ａや連結口７ａに配置されたメッシュ状部材１３によって構成されることから、流出制御手段の構成を簡易にして一層安価な排水装置１を得ることもできる。なお、この実施形態の流出制御手段の構成は、一例であって、排水１２の流出を抑えることが可能な他の適宜の構造を採用したり、例えば図７と図８に示す流出制御手段を同時に設ける構成とすることもできる。
【００２８】
さらに、図９及び図１０に示す第４の実施形態の排水装置１の特徴は、封水部２を一つの部材として構成した点にある。すなわち、封水部２を、屈曲部５と所定長さの垂直部６、７で形成すると共に、垂直部６、７の先端に配管３、４を接続可能な継手１４、１５を固着し、下流側の継手１５の側壁に設けた連結孔１５ａに前記貯留パイプ８を水平状態で固着する。また、屈曲部５の水底面５ａの下外面には、着脱可能なキャップ１７で閉塞された排水口１６を設けると共に、貯留パイプ８の底部８ｂに開口を設けてキャップ１８を着脱可能に装着する。この実施形態においても、継手１４に前記配管３を接続し継手１５に前記配管４を接続することで、貯留パイプ８内に貯留される排水１２で封水切れを防止できて、第１の実施形態と同様の作用効果が得られる他に、次のような作用効果を得ることができる。
【００２９】
すなわち、垂直部６、７の端部に継手１４，１５が設けられて、封水部２が一つの部材として形成されているため、各継手１４、１５に所定形状の配管３、４を接続することで、例えばＳ型サイホン式の排水トラップ、Ｐ型サイホン式の排水トラップあるいはＵ型サイホン式の排水トラップとして使用でき、各種の排水経路９に的確に対応できる等、汎用性に優れた排水装置１を得ることができる。また、屈曲部５の水底面５ａにキャップ１７を有する排水口１６が設けられると共に、貯留パイプ８の底部８ｂにキャップ１８が設けられているため、各キャップ１７、１８を取り外すことにより封水部２内や貯留パイプ８内に進入した異物の除去や清掃等を簡単に行うことができて、排水装置１のメンテナンス作業を極めて簡単に行うことができる。
【００３０】
なお、上記各実施形態においては、排水装置１がＳ型サイン式である場合について説明したが、本発明はこれに限定されず、前述したＰ型サイホン式やＵ型サイホン式にも適用することができる。また、上記各実施形態においては、貯留パイプ８を封水部２の下流側の垂直部７に設けたが、例えば貯留パイプ８を上流側の垂直部６に設けたり下流側と上流側の両方の垂直部６、７に設けることもできるし、垂直部７に対する角度も直交方向に限らず、上下方向や前後方向等に適宜に傾斜させて設けることもできる。さらに、上記各実施形態における、封水部２の全体形状、貯留パイプ８の形状、貯留パイプ８の垂直部７等への固着構造、継手１４、１５の形態等も一例であって、例えば貯留パイプ８を垂直部７や継手１５に一体形成する等、本発明に係わる各発明の要旨を逸脱しない範囲において適宜に変更することができる。
【産業上の利用可能性】
【００３１】
本発明は、キッチンや洗面化粧台の排水装置に限らず、例えば特許文献１に開示のような水栓便器等、従来サイホン式の排水トラップを使用していた各種衛生機器の排水経路に適用できる。
【図面の簡単な説明】
【００３２】
【図１】本発明に係わる排水装置の斜視図
【図２】同その貯留パイプ部分を模式的に示す縦断面図
【図３】同その動作説明図
【図４】同他の動作説明図
【図５】本発明に係わる排水装置の第２の実施形態を示す斜視図
【図６】同その縦断面図
【図７】本発明に係わる排水装置の第３の実施形態を示す縦断面図
【図８】同その変形例を示す縦断面図
【図９】本発明に係わる排水装置の第４の実施形態を示す正面図
【図１０】同その要部の縦断面図
【符号の説明】
【００３３】
１・・・排水装置、２・・・封水部、３、４・・・配管、４ａ・・・溢れ面、５・・・屈曲部、５ａ・・・水底面、５ｂ・・・水底面頂部、６・・・垂直部、７・・・垂直部、７ａ・・・連結孔、８・・・貯留パイプ、９・・・排水経路、１１・・・封水、１１ａ・・・封水面、１２・・・排水、１３・・・メッシュ状部材、１４、１５・・・継手、１５ａ・・・連結孔、１６・・・排水口、１７、１８・・・キャップ。
【図１】
2006257755.tif 000003
【図２】
2006257755.tif 000004
【図３】
2006257755.tif 000005
【図４】
2006257755.tif 000006
【図５】
2006257755.tif 000007
【図６】
2006257755.tif 000008
【図７】
2006257755.tif 000009
【図８】
2006257755.tif 000010
【図９】
2006257755.tif 000011
【図１０】
2006257755.tif 000012